(57)【要約】【課題】使用してない充電口の充電用の電極に指等が触れないようにすることにより、充電装置内のリレーもしくはデバイスが破損していても感電等しないようにすること。【解決手段】家庭用充電口１０２は、交流の電気エネルギを供給する家庭用充電コネクタと接続するための家庭用充電電極を備えている。急速充電口１０３は、直流の電気エネルギを供給する急速充電コネクタと接続するための急速充電電極を備えている。カバー部１０４及び開閉阻止部１０５は、家庭用充電電極が家庭用充電コネクタと接続可能に露出している際には急速充電電極は露出しないように遮蔽し、急速充電電極が急速充電コネクタと接続可能に露出している際には家庭用充電電極は露出しないように遮蔽する。【選択図】図３
2013208966.tif 000002
【特許請求の範囲】
【請求項１】
複数の異なる充電方式にて充電を行う電気自動車のボディに備える充電口構造であって、
交流の電気エネルギを供給する家庭用充電コネクタと接続するための家庭用充電電極を備え、前記ボディに設けられた家庭用充電口と、
直流の電気エネルギを供給する急速充電コネクタと接続するための急速充電電極を備え、前記ボディに設けられた急速充電口と、
前記家庭用充電電極が前記家庭用充電コネクタと接続可能に露出している際には前記急速充電電極は露出しないように遮蔽し、前記急速充電電極が前記急速充電コネクタと接続可能に露出している際には前記家庭用充電電極は露出しないように遮蔽する遮蔽部と、
を具備する充電口構造。
【請求項２】
前記遮蔽部は、
第１の係合部及び第２の係合部を有する開閉阻止部と、
第１の係合孔と、第２の係合孔と、前記第１の係合孔と前記第２の係合孔との間に位置するヒンジ部とを有し、前記家庭用充電電極及び前記急速充電電極を遮蔽するとともに前記第１の係合部及び前記第２の係合部に対向した状態で前記ボディに対してスライド可能であるカバー部と、
から構成され、
前記カバー部は、
前記第１の係合孔と前記第１の係合部とが対向する位置において、前記第１の係合孔を前記第１の係合部に係合させることにより、前記ヒンジ部を支点として回転して前記家庭用充電電極を前記家庭用充電コネクタと接続可能に露出させる一方、前記第２の係合部に対向した状態で前記急速充電電極は露出しないように遮蔽し、
前記第２の係合孔と前記第２の係合部とが対向する位置において、前記第２の係合孔を前記第２の係合部に係合させることにより、前記ヒンジ部を支点として回転して前記急速充電電極を前記急速充電コネクタと接続可能に露出させる一方、前記第１の係合部に対向した状態で前記家庭用充電電極は露出しないように遮蔽する
請求項１記載の充電口構造。
【請求項３】
前記遮蔽部は、
前記ボディに対してスライド可能に設けられ、前記家庭用充電電極または前記急速充電電極を露出しないように遮蔽する第１のカバー部と、
前記ボディに対して前記第１のカバー部のスライド方向と平行な方向にスライド可能に設けられ、前記急速充電電極または前記家庭用充電電極を露出しないように遮蔽する第２のカバー部と、
から構成される
請求項１記載の充電口構造。
【請求項４】
請求項１から請求項３の何れかに記載の充電口構造を具備した電気自動車。
【発明の詳細な説明】
【技術分野】
【０００１】
本発明は、複数の異なる充電方式にて充電を行う電気自動車のボディに備える充電口構造に関する。
【背景技術】
【０００２】
ＥＶ（Electric Vehicle）またはＰＨＥＶ（Plug-in Hybrid Electric Vehicle）等の蓄電池を駆動源として走行可能な車輌には、家庭用ＡＣ電源から交流の電気エネルギを供給する家庭用充電コネクタが接続される家庭用充電口と、直流の電気エネルギを供給する急速充電コネクタが接続される急速充電口とが設けられている。このような充電口構造を有する車輌では、接続部の充電用の電極とバッテリとの間に設けたリレーをＯＦＦ、もしくは、接続部とバッテリとの間のデバイスをＯＦＦにすることにより、充電中において、使用してない接続部より外部に露出している充電用の電極に指等が触れることによる感電を防止している。
【０００３】
また、従来、家庭用充電口のリッドを開かないと急速用充電口のリッドが開かないものがある（例えば、特許文献１）。特許文献１では、家庭用充電口のリッドを開き、急速用充電口のリッドを開いた後に、一方の充電口に急速充電コネクタまたは家庭用充電コネクタを挿入して充電をすることが可能である。
【先行技術文献】
【特許文献】
【０００４】
【特許文献１】特開２０１１−１２６４４１号公報
【発明の概要】
【発明が解決しようとする課題】
【０００５】
しかしながら、従来の装置においては、充電コネクタが挿入されていない他方の充電口には、電極を露出させることが可能となっている。この際、通常は、接続部とバッテリとの間のリレーをＯＦＦもしくは、接続部とバッテリとの間のデバイスをＯＦＦすることにより、露出する電極に触れても感電しないようにしているが、充電装置内において、リレーが溶着する等の故障が生じている場合、充電コネクタが挿入されていない他方の充電口に露出している充電用の電極に指等が触れることにより、感電、もしくは、充電用の電極から進入した雨等を介して車輌外部に漏電する危険性があるという問題がある。
【０００６】
本発明の目的は、使用していない充電口の充電用の電極に指等が触れないようにすることにより、充電装置内のリレーもしくはデバイスが破損していても感電等しないようにすることができる充電口構造を提供することである。
【課題を解決するための手段】
【０００７】
本発明の充電口構造は、複数の異なる充電方式にて充電を行う電気自動車のボディに備える充電口構造であって、交流の電気エネルギを供給する家庭用充電コネクタと接続するための家庭用充電電極を備え、前記ボディに設けられた家庭用充電口と、直流の電気エネルギを供給する急速充電コネクタと接続するための急速充電電極を備え、前記ボディに設けられた急速充電口と、前記家庭用充電電極が前記家庭用充電コネクタと接続可能に露出している際には前記急速充電電極は露出しないように遮蔽し、前記急速充電電極が前記急速充電コネクタと接続可能に露出している際には前記家庭用充電電極は露出しないように遮蔽する遮蔽部と、を具備する構成を採る。
【発明の効果】
【０００８】
本発明によれば、使用してない充電口の充電用の電極に指等が触れないようにすることにより、充電装置内のリレーもしくはデバイスが破損していても感電等しないようにすることができる。
【図面の簡単な説明】
【０００９】
【図１】本発明の実施の形態１における充電装置の構成を示すブロック図
【図２】本発明の実施の形態１に係る充電口構造の正面図
【図３】図２のＡ−Ａ線断面図
【図４】図３のＢ−Ｂ線断面図
【図５】本発明の実施の形態１における開閉阻止部の拡大正面図
【図６】カバー部を開いた状態の図２のＡ−Ａ線断面図
【図７】本発明の実施の形態２に係る充電口構造の図２のＡ−Ａ線断面図に相当する断面図
【図８】本発明の実施の形態２に係る充電口構造のカバー部を開いた状態の図２のＡ−Ａ線断面図に相当する断面図
【図９】本発明の実施の形態３に係る充電口構造の正面図
【図１０】図９のＣ−Ｃ線断面図
【図１１】第２のカバー部を開いた状態の図９のＣ−Ｃ線断面図
【発明を実施するための形態】
【００１０】
以下、本発明の実施の形態について、図面を参照して詳細に説明する。
【００１１】
（実施の形態１）
＜充電装置の構成＞
本発明の実施の形態１における充電装置１０の構成について、図１を用いて説明する。図１は、本実施の形態における充電装置１０の構成を示すブロック図である。なお、図１では、充電装置１０とともにバッテリ１６も記載する。
【００１２】
充電装置１０は、ＡＣ／ＤＣ変換部１２と、リレー１４と、制御部１５と、家庭用充電口１０２と、急速充電口１０３とを有している。充電装置１０は、バッテリ１６を充電する。
【００１３】
家庭用充電口１０２は、家庭用のコンセントから供給される家庭用の電源（例えば１００Ｖ）を用いて充電する方式（以下、「通常充電方式」と記載する）の家庭用充電コネクタと接続するための家庭用充電電極１０２ａを備えている。家庭用充電口１０２は、通常充電方式の家庭用充電電源コネクタと接続し、接続した家庭用充電コネクタから供給された交流の電気エネルギをＡＣ／ＤＣ変換部１２に出力する。
【００１４】
ＡＣ／ＤＣ変換部１２は、制御部１５の制御に従って、家庭用充電口１０２から入力した交流の電気エネルギを直流の電気エネルギに変換してバッテリ１６に供給する。
【００１５】
急速充電口１０３は、通常充電方式よりも高電圧で充電する急速充電コネクタと接続するための急速充電電極１０３ａを備えている。急速充電口１０３は、急速充電コネクタと接続し、接続した急速充電コネクタから供給された直流の電気エネルギを、リレー１４を介してバッテリ１６に供給する。
【００１６】
リレー１４は、制御部１５の制御に従って開閉し、急速充電口１０３とバッテリ１６とを接続または遮断する。
【００１７】
制御部１５は、ＡＣ／ＤＣ変換部１２における交流の電気エネルギから直流の電気エネルギへの変換処理、及びリレー１４の開閉を制御する。制御部１５は、通常充電の際は、リレー１４を遮断することにより、急速充電口１０３の電極とバッテリ１６とを遮断する。制御部１０５は、急速充電の際は、ＡＣ／ＤＣ変換部１２を停止させて、家庭用充電口１０１の電極とバッテリ１６とを遮断する。このようにすることで、使用していない側の接続部とバッテリとの電気的接続を遮断する。
【００１８】
＜充電口構造の構成＞
本発明の実施の形態１に係る充電口構造１００の構成について、図２〜図５を用いて説明する。図２は、本実施の形態に係る充電口構造１００の正面図である。図３は、図２のＡ−Ａ線断面図である。図４は、図３のＢ−Ｂ線断面図である。図５は、本実施の形態における開閉阻止部１０５の拡大正面図である。なお、図２〜図５において、図１と同一構成である部分については同一符号を付している。
【００１９】
充電口構造１００は、筐体１０１と、家庭用充電口１０２と、急速充電口１０３と、カバー部１０４と、開閉阻止部１０５とから主に構成されている。カバー部１０４及び開閉阻止部１０５は、遮蔽部を構成している。遮蔽部は、家庭用充電電極が家庭用充電コネクタと接続可能に露出している際には急速充電電極は露出しないように遮蔽し、急速充電電極が急速充電コネクタと接続可能に露出している際には家庭用充電電極は露出しないように遮蔽する。
【００２０】
筐体１０１は、電気自動車のボディの一部である。筐体１０１には、開口部４０２が形成されている。筐体１０１には、家庭用充電口１０２及び急速充電口１０３が設けられている。筐体１０１には、開閉阻止部１０５が収納されている。筐体１０１には、カバー部１０４をスライドさせるためのレール４０１が長手方向に形成されている。
【００２１】
家庭用充電口１０２（図３参照）は、通常充電方式の家庭用充電コネクタと、開口部４０２を介して接続可能に筐体１０１に設けられている。家庭用充電口１０２は、家庭用充電コネクタと接続するための家庭用充電電極１０２ａ（図１参照）を備えている。
【００２２】
急速充電口１０３（図３参照）は、通常充電方式よりも高電圧で充電する急速充電コネクタと、開口部４０２を介して接続可能に筐体１０１に設けられている。急速充電口１０３は、急速充電コネクタと接続するための急速充電電極１０３ａ（図１参照）を備えている。
【００２３】
カバー部１０４は、図３に示すように、薄板状であり、板厚方向に貫通する第１の係合孔２０２及び第２の係合孔２０３を有している。カバー部１０４は、第１の係合孔２０２と第２の係合孔２０３との間に、回転する際に回転の支点となるヒンジ部２０１を有している。カバー部１０４は、家庭用充電口１０２及び急速充電口１０３に対向するとともに、後述する第１の係合部３０１及び第２の係合部３０２に対向した状態で、異なる二方向にスライド可能に筐体１０１に取り付けられている。カバー部１０４は、筐体１０１のレール４０１上をスライドする。カバー部１０４には、カバー部１０４をスライドさせる際に把持されるノブ２０４が設けられている。カバー部１０４は、家庭用充電口１０２及び急速充電口１０３を使用しないときには、家庭用充電口１０２及び急速充電口１０３に対向する開口部４０２を覆っている。
【００２４】
開閉阻止部１０５は、図４に示すように、筐体１０１に設けられている。開閉阻止部１０５は、第１の係合部３０１と、第２の係合部３０２と、第１のストッパ部３０３と、第２のストッパ部３０４とを有している。第１の係合部３０１は、第１の係合孔２０２に対向した状態で、第１の係合孔２０２と係合する。第２の係合部３０２は、第２の係合孔２０３に対向した状態で、第２の係合孔２０３と係合する。第１のストッパ部３０３は、カバー部１０４が回転した際に、カバー部１０４の回転を規制する。第２のストッパ部３０４は、カバー部１０４が回転した際に、カバー部１０４の回転を規制する。
【００２５】
＜充電口構造の動作＞
本発明の実施の形態１に係る充電口構造１００の動作について、図３及び図６を用いて説明する。図６は、カバー部１０４が開いた状態の図２のＡ−Ａ線断面図である。
【００２６】
まず、図３の状態において、家庭用充電口１０２に対して家庭用充電コネクタを接続する際には、第１の係合孔２０２と第１の係合部３０１とが対向する位置まで、カバー部１０４を図３の左方向にスライドさせる。この位置において、カバー部１０４の図３のヒンジ部２０１より左側部分（以下、「カバー部１０４の左側部分」と記載する）を押し込むと、カバー部１０４の左側部分がヒンジ部２０１を支点として回転して第１の係合孔２０２と第１の係合部３０１とが係合する。カバー部１０４の左側部分をさらに押し込むと、カバー部１０４の左側部分がヒンジ部２０１を支点としてさらに回転し、カバー部１０４の左側部分と第１のストッパ部３０３とが当接することによりカバー部１０４の左側部分の回転が停止する。
【００２７】
これにより、家庭用充電口１０２に対向する開口部４０２を外部に開放することができるので、家庭用充電口１０２に対して家庭用充電コネクタを接続することができる。この際、第２の係合孔２０３と第２の係合部３０２とは対向しておらず、第２の係合部３０２とカバー部１０４の図３のヒンジ部２０１より右側部分（以下、「カバー部１０４の右側部分」と記載する）とが対向した状態になっている。従って、カバー部１０４の右側部分を押し込んだ際には、カバー部１０４の右側部分と第２の係合部３０２とが当接し、カバー部１０４の右側部分を回転させることはできない。これにより、カバー部１０４は急速充電電極が露出しないように遮蔽し、急速充電口１０３に対向する開口部４０２は、カバー部１０４により覆われているので、急速充電口１０３に対して急速充電コネクタを接続することはできない。
【００２８】
家庭用充電口１０２から家庭用充電コネクタを抜いた後には、カバー部１０４の左側部分を回転させて第１の係合部３０１と第１の係合孔２０２との係合を解除する。そして、カバー部１０４を図３の右方向にスライドさせることにより、第１の係合孔２０２と第１の係合部３０１とが対向しておらず、第１の係合部３０１とカバー部１０４の左側部分とが対向した状態になる。従って、カバー部１０４の左側部分を押し込んでも、カバー部１０４の左側部分と第１の係合部３０１とが当接するので、カバー部１０４の左側部分を回転させることはできない。これにより、カバー部１０４は家庭用充電電極が露出しないように遮蔽し、家庭用充電口１０２に対向する開口部４０２は、カバー部１０４により被われているので、家庭用充電口１０２に対して家庭用充電コネクタを接続することはできない。カバー部１０４は、上記の動作において、図３の下方には開閉しない。なお、急速充電口１０３につては上記の状態のままであるので、その説明を省略する。
【００２９】
また、図３の状態において、急速充電口１０３に対して急速充電コネクタを接続する際には、第２の係合孔２０３と第２の係合部３０２とが対向する位置まで、カバー部１０４を図３の右方向にスライドさせる。この位置において、カバー部１０４の右側部分を押し込むと、カバー部１０４の右側部分がヒンジ部２０１を支点として回転して第２の係合孔２０３と第２の係合部３０２とが係合する。カバー部１０４の右側部分をさらに押し込むと、カバー部１０４の右側部分がヒンジ部２０１を支点としてさらに回転し、カバー部１０４の右側部分と第２のストッパ部３０４とが当接することによりカバー部１０４の右側部分の回転が停止して図３の状態になる。
【００３０】
これにより、急速充電口１０３に対向する開口部４０２を外部に開放することができるので、急速充電口１０３に対して急速充電コネクタを接続することができる。この際、第１の係合孔２０２と第１の係合部３０１とは対向しておらず、第１の係合部３０１とカバー部１０４の左側部分とが対向した状態になっている。従って、カバー部１０４の左側部分を押し込んだ際にカバー部１０４の左側部分と第１の係合部３０１とが当接し、カバー部１０４の左側部分を回転させることはできない。これにより、カバー部１０４は家庭用充電電極が露出しないように遮蔽し、家庭用充電口１０２に対向する開口部４０２は、カバー部１０４により覆われているので、家庭用充電口１０２に対して家庭用充電コネクタを接続することはできない。
【００３１】
急速充電口１０３から急速充電コネクタを抜いた後には、カバー部１０４の右側部分を回転させて第２の係合部３０２と第２の係合孔２０３との係合を解除する。そして、カバー部１０４を図３の左方向にスライドさせることにより、第２の係合孔２０３と第２の係合部３０２とが対向しておらず、第２の係合部３０２とカバー部１０４の右側部分とが対向した状態になる。従って、カバー部１０４の右側部分を押し込んでも、カバー部１０４の右側部分と第２の係合部３０２とが当接するので、カバー部１０４の右側部分を回転させることはできない。これにより、カバー部１０４は急速充電電極が露出しないように遮蔽し、急速充電口１０３に対向する開口部４０２は、カバー部１０４により覆われているので、急速充電口１０３に対して急速充電コネクタを接続することはできない。カバー部１０４は、上記の動作において、図３の下方には開閉しない。なお、家庭用充電口１０２については上記の状態のままであるので、その説明を省略する。
【００３２】
＜本実施の形態の効果＞
本実施の形態によれば、使用してない充電口の充電用の電極に指等が触れないようにすることにより、充電装置内のリレーもしくはデバイスが破損していても感電等しないようにすることができる。
【００３３】
（実施の形態２）
本実施の形態において、充電装置の構成は図１と同一であるとともに、充電口構造は、各部材の配置が異なる以外は上記実施の形態１と同様であるので、その説明を省略する。
【００３４】
＜充電口構造の動作＞
本発明の実施の形態２に係る充電口構造６００の動作について、図７及び図８を用いて説明する。図７は、本実施の形態に係る充電口構造６００の図２のＡ−Ａ線断面図に相当する断面図である。図８は、本実施の形態に係る充電口構造６００のカバー部１０４を開いた状態の図２のＡ−Ａ線断面図に相当する断面図である。
【００３５】
まず、図７の状態において、家庭用充電口１０２に対して家庭用充電コネクタを接続する際には、第１の係合孔２０２と第１の係合部３０１とが対向する位置まで、カバー部１０４を図７の左方向にスライドさせる。この位置において、カバー部１０４の左側部分を引っ張ると、カバー部１０４の左側部分がヒンジ部２０１を支点として回転して第１の係合孔２０２と第１の係合部３０１とが係合する。カバー部１０４の左側部分をさらに引っ張ると、カバー部１０４の左側部分がヒンジ部２０１を支点としてさらに回転し、カバー部１０４の左側部分と第１のストッパ部３０３とが当接することによりカバー部１０４の左側部分の回転が停止する。
【００３６】
これにより、家庭用充電口１０２に対向する開口部４０２を外部に開放することができるので、家庭用充電口１０２に対して家庭用充電コネクタを接続することができる。この際、第２の係合孔２０３と第２の係合部３０２とは対向しておらず、第２の係合部３０２とカバー部１０４の右側部分とが対向した状態になっている。従って、カバー部１０４の右側部分を引っ張った際には、カバー部１０４の右側部分と第２の係合部３０２とが当接し、カバー部１０４の右側部分を回転させることはできない。これにより、カバー部１０４は急速充電電極が露出しないように遮蔽し、急速充電口１０３に対向する開口部４０２は、カバー部１０４により覆われているので、急速充電口１０３に対して急速充電コネクタを接続することはできない。
【００３７】
家庭用充電口１０２から家庭用充電コネクタを抜いた後には、カバー部１０４の左側部分を回転させて第１の係合部３０１と第１の係合孔２０２との係合を解除する。そして、カバー部１０４を図７の右方向にスライドさせることにより、第１の係合孔２０２と第１の係合部３０１とが対向しておらず、第１の係合部３０１とカバー部１０４の左側部分とが対向した状態になる。従って、カバー部１０４の左側部分を引っ張っても、カバー部１０４の左側部分と第１の係合部３０１とが当接するので、カバー部１０４の左側部分を回転させることはできない。これにより、カバー部１０４は家庭用充電電極が露出しないように遮蔽し、家庭用充電口１０２に対向する開口部４０２は、カバー部１０４により被われているので、家庭用充電口１０２に対して家庭用充電コネクタを接続することはできない。カバー部１０４は、上記の動作において、図７の上方には開閉しない。なお、急速充電口１０３につては上記の状態のままであるので、その説明を省略する。
【００３８】
また、図７の状態において、急速充電口１０３に対して急速充電コネクタを接続する際には、第２の係合孔２０３と第２の係合部３０２とが対向する位置まで、カバー部１０４を図７の右方向にスライドさせる。この位置において、カバー部１０４の右側部分を引っ張ると、カバー部１０４の右側部分がヒンジ部２０１を支点として回転して第２の係合孔２０３と第２の係合部３０２とが係合する。カバー部１０４の右側部分をさらに引っ張ると、カバー部１０４の右側部分がヒンジ部２０１を支点としてさらに回転し、カバー部１０４の右側部分と第２のストッパ部３０４とが当接することによりカバー部１０４の右側部分の回転が停止して図８の状態になる。
【００３９】
これにより、急速充電口１０３に対向する開口部４０２を外部に開放することができるので、急速充電口１０３に対して急速充電コネクタを接続することができる。この際、第１の係合孔２０２と第１の係合部３０１とは対向しておらず、第１の係合部３０１とカバー部１０４の左側部分とが対向した状態になっている。従って、カバー部１０４の左側部分を引っ張った際にカバー部１０４の左側部分と第１の係合部３０１とが当接し、カバー部１０４の左側部分を回転させることはできない。これにより、カバー部１０４は家庭用充電電極が露出しないように遮蔽し、家庭用充電口１０２に対向する開口部４０２は、カバー部１０４により覆われているので、家庭用充電口１０２に対して家庭用充電コネクタを接続することはできない。
【００４０】
急速充電口１０３から急速充電コネクタを抜いた後には、カバー部１０４の右側部分を回転させて第２の係合部３０２と第２の係合孔２０３との係合を解除する。そして、カバー部１０４を図７の左方向にスライドさせることにより、第２の係合孔２０３と第２の係合部３０２とが対向しておらず、第２の係合部３０２とカバー部１０４の右側部分とが対向した状態になる。従って、カバー部１０４の右側部分を引っ張っても、カバー部１０４の右側部分と第２の係合部３０２とが当接するので、カバー部１０４の右側部分を回転させることはできない。これにより、カバー部１０４は急速充電電極が露出しないように遮蔽し、急速充電口１０３に対向する開口部４０２は、カバー部１０４により覆われているので、急速充電口１０３に対して急速充電コネクタを接続することはできない。カバー部１０４は、上記の動作において、図７の上方には開閉しない。なお、家庭用充電口１０２については上記の状態のままであるので、その説明を省略する。
【００４１】
＜本実施の形態の効果＞
本実施の形態によれば、使用してない充電口の充電用の電極に指等が触れないようにすることにより、充電装置内のリレーもしくはデバイスが破損していても感電等しないようにすることができる。
【００４２】
＜本実施の形態の変形例＞
本実施の形態において、開閉阻止部を固定するとともにカバー部をスライドしたが、本発明はこれに限らず、カバー部を開閉可能に固定するとともに開閉阻止部をスライドさせてもよい。
【００４３】
（実施の形態３）
本実施の形態において、充電装置の構成は図１と同一であるので、その説明を省略する。
【００４４】
＜充電口構造の構成＞
本発明の実施の形態３に係る充電口構造８００の構成について、図９及び図１０を用いて説明する。図９は、本実施の形態に係る充電口構造８００の正面図である。図１０は、図９のＣ−Ｃ線断面図である。
【００４５】
充電口構造８００は、筐体８０１と、家庭用充電口８０２と、急速充電口８０３と、第１のカバー部８０４と、第２のカバー部８０５とから主に構成される。第１のカバー部８０４及び第２のカバー部８０５は、遮蔽部を構成している。遮蔽部は、家庭用充電電極が家庭用充電コネクタと接続可能に露出している際には急速充電電極は露出しないように遮蔽し、急速充電電極が急速充電コネクタと接続可能に露出している際には家庭用充電電極は露出しないように遮蔽する。
【００４６】
筐体８０１は、電気自動車のボディの一部である。筐体８０１には、開口部９０３が形成されている。筐体８０１には、家庭用充電口８０２及び急速充電口８０３が設けられている。筐体８０１には、第１のカバー部８０４及び第２のカバー部８０５がスライド自在に設けられている。筐体８０１には、第１のカバー部８０４をスライドさせるためのレール９０１が長手方向に形成されている。筐体８０１には、第２のカバー部８０５をスライドさせるためのレール９０２が長手方向に形成されている。
【００４７】
家庭用充電口８０２は、開口部９０３を介して家庭用充電コネクタと接続可能に筐体８０１に設けられている。家庭用充電口８０２は、家庭用充電コネクタと接続するための家庭用充電電極を備えている。
【００４８】
急速充電口８０３は、開口部９０３を介して急速充電コネクタと接続可能に筐体８０１に設けられている。急速充電口８０３は、急速充電コネクタと接続するための急速充電電極を備えている。
【００４９】
第１のカバー部８０４は、図１０に示すように、家庭用充電口８０２に対向する開口部９０３、または急速充電口８０３に対向する開口部９０３を覆うことが可能な大きさに形成されている。第１のカバー部８０４は、レール９０１をスライドすることにより、家庭用充電口８０２に対向する開口部９０３、または急速充電口８０３に対向する開口部９０３を覆う。
【００５０】
第２のカバー部８０５は、図１０に示すように、家庭用充電口８０２に対向する開口部９０３、または急速充電口８０３に対向する開口部９０３を覆うことが可能な大きさに形成されている。第２のカバー部８０５は、レール９０２をスライドすることにより、第１のカバー部８０４のスライド方向と平行な方向にスライドし、家庭用充電口８０２に対向する開口部９０３、または急速充電口８０３に対向する開口部９０３を覆う。即ち、第１のカバー部８０４と第２のカバー部８０５とは、襖と同様の動作を行う。
【００５１】
＜充電装置の動作＞
本発明の実施の形態３に係る充電口構造８００の動作について、図１０及び図１１を用いて説明する。図１１は、第２のカバー部８０５を開いた状態の図９のＣ−Ｃ線断面図である。
【００５２】
まず、図１０の状態において、家庭用充電口８０２に対して家庭用充電コネクタを接続する際には、第１のカバー部８０４を図１０の右方向であってレール９０１の右端部までスライドさせる。これにより、第１のカバー部８０４は、家庭用充電口８０２に対向する開口部９０３を外部に開放するので、家庭用充電口８０２に対して家庭用充電コネクタを接続することができる。一方、第１のカバー部８０４と第２カバー部８０５とは、互いに重なった状態で、急速充電電極が露出しないように遮蔽し、急速充電口８０３に対向する開口部９０３を覆うので、急速充電口８０３に対して急速充電コネクタを接続することはできない。
【００５３】
家庭用充電口８０２から家庭用充電コネクタを抜いた後には、第１のカバー部８０４を図１０の左方向であってレール９０１の左端部までスライドさせることにより、図１１の状態にする。これにより、第１のカバー部８０４は、家庭用充電口８０２に対向する開口部９０３を覆うので、家庭用充電口８０２に対して家庭用充電コネクタを接続することはできない。また、第２のカバー部８０５は、急速充電口８０３に対向する開口部９０３を覆うので、急速充電口８０３に対して急速充電コネクタを接続することはできない。
【００５４】
また、図１０の状態において、急速充電口８０３に対して急速充電コネクタを接続する際には、第２のカバー部８０５を図１０の左方向であってレール９０２の左端部までスライドさせることにより図１１の状態になる。これにより、第２のカバー部８０５は、急速充電口８０３に対向する開口部９０３を外部に開放するので、急速充電口８０３に対して急速充電コネクタを接続することができる。一方、第１のカバー部８０４と第２カバー部８０５とは、互いに重なった状態で、家庭用充電電極が露出しないように遮蔽し、家庭用充電口８０２に対向する開口部９０３を覆うので、家庭用充電口８０２に対して家庭用充電コネクタを接続することはできない。
【００５５】
急速充電口８０３から急速充電コネクタを抜いた後には、第２のカバー部８０５を図１０の右方向であってレール９０２の右端部までスライドさせることにより、図１０の状態にする。これにより、第２のカバー部８０５は、急速充電口に対向する開口部９０３を覆うので、急速充電口８０３に対して急速充電コネクタを接続することはできない。また、第１のカバー部８０４は、家庭用充電口８０２に対向する開口部９０３を覆うので、家庭用充電口８０２に対して家庭用充電コネクタを接続することはできない。
【００５６】
＜本実施の形態の効果＞
本実施の形態によれば、第１のカバー部及び第２のカバー部の少なくとも一方により、使用していない充電口が常に外部に露出しないようにして、使用してない接続部の充電用の電極に指が触れないようにすることにより、使用していない接続部とバッテリとの間に設けたリレーが溶着している場合であっても感電しないようにすることができる。
【００５７】
また、本実施の形態によれば、襖と同様の動作を行う第１のカバー部及び第２のカバー部により接続を阻止するので、簡易な構成にすることができる。
【００５８】
＜全ての実施の形態に共通の変形例＞
上記実施の形態１〜実施の形態３において、「急速充電」は直流の電気エネルギを用いる充電、「家庭用充電」および「通常充電」は交流の電気エネルギを用いる充電であれば十分であり、「急速」「家庭用」「通常」の表現は便宜上の表現である。
【産業上の利用可能性】
【００５９】
本発明にかかる充電口構造は、複数の異なる充電方式にて充電を行う電気自動車のボディに備えるのに好適である。
【符号の説明】
【００６０】
１００  充電口構造
１０１  筐体
１０２  家庭用充電口
１０３  急速充電口
１０４  カバー部
１０５  開閉阻止部
２０１  ヒンジ部
２０２  第１の係合孔
２０３  第２の係合孔
２０４  ノブ
３０１  第１の係合部
３０２  第２の係合部
３０３  第１のストッパ部
３０４  第２のストッパ部
４０１  レール
４０２  開口部
【図１】
2013208966.tif 000003
【図２】
2013208966.tif 000004
【図３】
2013208966.tif 000005
【図４】
2013208966.tif 000006
【図５】
2013208966.tif 000007
【図６】
2013208966.tif 000008
【図７】
2013208966.tif 000009
【図８】
2013208966.tif 000010
【図９】
2013208966.tif 000011
【図１０】
2013208966.tif 000012
【図１１】
2013208966.tif 000013